(57)【要約】【課題】蓄積された映像コンテンツの編集を容易に行うことを可能にする録画装置及び情報処理装置を提供する。【解決手段】ＨＤＤレコーダ１は、録画コンテンツデータベース３を備えており、編集支援処理部１３と、映像コンテンツのメタ情報を格納し検索条件に合致する映像コンテンツをメタ情報を参照して検索するメタ情報管理サーバ部１５と、を含むネットワークＮ上で用いられる。ＨＤＤレコーダ１は、検索結果情報に示された映像コンテンツの中に含まれるシーン毎に編集された編集結果情報を編集支援処理部１３から受信し、当該編集結果情報をメタ情報管理サーバ部１５に送信する機能を有し、編集支援処理部１３は、検索結果情報に示された映像コンテンツの中に含まれる複数のシーンのサムネイルを提示してユーザに編集させ、当該編集に基づいて編集結果情報を作成し送信する。【選択図】図１
2008301102.tif 000002
【特許請求の範囲】
【請求項１】
映像コンテンツを保存する映像コンテンツ保存部を備えており、
前記映像コンテンツの編集を支援する情報処理部を備えた情報処理装置と、前記映像コンテンツに関連付けられたメタ情報を格納し前記情報処理部から受け取った検索条件に合致する前記映像コンテンツを、前記メタ情報を参照して検索し、検索結果情報を前記情報処理部に送出するデータベースサーバと、を含むネットワーク上で用いられ、
前記検索結果情報に示された映像コンテンツの編集に関する編集結果情報を前記情報処理部から受信し、当該編集結果情報に基づいて前記映像コンテンツ保存部を更新すると共に、当該編集結果情報を前記データベースサーバに送出する機能を有し、
前記情報処理部は、
前記検索結果情報に示された映像コンテンツの中に含まれる複数のシーンのサムネイルを表示して、当該複数のシーン毎に前記映像コンテンツを編集させ、当該編集に基づいて前記編集結果情報を作成し送信する、ことを特徴とする録画装置。
【請求項２】
前記検索結果情報に示された映像コンテンツの中に含まれる複数のシーンのサムネイルを要求するサムネイル要求を前記情報処理部から受信し、前記サムネイルを前記情報処理部に返信することを特徴とする請求項１に記載の録画装置。
【請求項３】
映像コンテンツを保存する映像コンテンツ保存部を有する録画装置と、前記映像コンテンツに関連付けられたメタ情報を格納し、受け取った検索条件に合致する前記映像コンテンツを、前記メタ情報を参照して検索し、検索結果情報を送出するデータベースサーバと、を含むネットワーク上で用いられ、
前記映像コンテンツ保存部の映像コンテンツの編集を支援する情報処理部を備え、
前記情報処理部は、
前記検索条件を前記データベースサーバに送出して当該データベースサーバからの前記検索結果情報を受け取り、前記検索結果情報に示された映像コンテンツの中に含まれる複数のシーンのサムネイルを表示して、当該複数のシーン毎に前記映像コンテンツを編集させ、当該編集に基づいて編集結果情報を作成し前記録画装置に送信する、ことを特徴とする情報処理装置。
【請求項４】
前記情報処理部は、
前記検索結果情報に示された映像コンテンツの中に含まれる複数のシーンのサムネイルを要求するサムネイル要求を録画装置に送信し、前記サムネイルを前記録画装置から受信する、ことを特徴とする請求項３に記載の情報処理装置。
【請求項５】
前記録画装置は、受信した前記編集結果情報に基づいて前記映像コンテンツ保存部を更新すると共に、当該編集結果情報を前記データベースサーバに送出することを特徴とする請求項３又は４に記載の情報処理装置。
【発明の詳細な説明】
【技術分野】
【０００１】
本発明は、録画装置及び情報処理装置に関するものである。
【背景技術】
【０００２】
近年では、映像コンテンツを保存する録画装置の大容量化に伴い、録画装置には大量の映像コンテンツを蓄積することが可能になってきており、このような録画装置のユーザは、ますます多くの映像コンテンツを蓄積する傾向にある。そして、蓄積された映像コンテンツが多くなってくると、映像コンテンツを効率よく整理する手法が求められる。このような映像コンテンツの整理を容易にするため、各映像コンテンツに関連付けられたメタ情報が利用される場合がある（例えば、下記特許文献１参照）。この特許文献１のコンテンツ配信システムでは、ユーザがキーワードを指定させ、当該キーワードに対応する映像コンテンツのサムネイルを提示することで、ユーザが望むコンテンツを検索しやすくすることが提案されている。
【特許文献１】特開２００４−２８２１１４号公報
【発明の開示】
【発明が解決しようとする課題】
【０００３】
ところが、近年では、この種の映像コンテンツのデータベースにおいて、所望のコンテンツを容易に検索できるようにするだけではなく、蓄積された各映像コンテンツから必要な各一部分を取り出して編集するといった整理手法が望まれる場合も多い。そこで、本発明は、蓄積された映像コンテンツの編集を容易に行うことを可能にする録画装置及び情報処理装置を提供することを目的とする。
【課題を解決するための手段】
【０００４】
本発明の録画装置は、映像コンテンツを保存する映像コンテンツ保存部を備えており、映像コンテンツの編集を支援する情報処理部を備えた情報処理装置と、映像コンテンツに関連付けられたメタ情報を格納し情報処理部から受け取った検索条件に合致する映像コンテンツを、メタ情報を参照して検索し、検索結果情報を情報処理部に送出するデータベースサーバと、を含むネットワーク上で用いられ、検索結果情報に示された映像コンテンツの編集に関する編集結果情報を情報処理部から受信し、当該編集結果情報に基づいて映像コンテンツ保存部を更新すると共に、当該編集結果情報をデータベースサーバに送出する機能を有し、情報処理部は、検索結果情報に示された映像コンテンツの中に含まれる複数のシーンのサムネイルを表示して、当該複数のシーン毎に映像コンテンツを編集させ、当該編集に基づいて編集結果情報を作成し送信する、ことを特徴とする。
【０００５】
また、本発明の録画装置は、検索結果情報に示された映像コンテンツの中に含まれる複数のシーンのサムネイルを要求するサムネイル要求を情報処理部から受信し、該当するサムネイルを情報処理部に返信することとしてもよい。
【０００６】
本発明の情報処理装置は、映像コンテンツを保存する映像コンテンツ保存部を有する録画装置と、映像コンテンツに関連付けられたメタ情報を格納し、受け取った検索条件に合致する映像コンテンツを、メタ情報を参照して検索し、検索結果情報を送出するデータベースサーバと、を含むネットワーク上で用いられ、映像コンテンツ保存部の映像コンテンツの編集を支援する情報処理部を備え、情報処理部は、検索条件をデータベースサーバに送出して当該データベースサーバからの検索結果情報を受け取り、検索結果情報に示された映像コンテンツの中に含まれる複数のシーンのサムネイルを表示して、当該複数のシーン毎に映像コンテンツを編集させ、当該編集に基づいて編集結果情報を作成し録画装置に送信する、ことを特徴とする。
【０００７】
また、本発明の情報処理装置では、情報処理部は、検索結果情報に示された映像コンテンツの中に含まれる複数のシーンのサムネイルを要求するサムネイル要求を録画装置に送信し、サムネイルを録画装置から受信する、こととしてもよい。
【０００８】
また、本発明の情報処理装置では、録画装置は、受信した編集結果情報に基づいて映像コンテンツ保存部を更新すると共に、当該編集結果情報をデータベースサーバに送出することとしてもよい。
【発明の効果】
【０００９】
本発明の録画装置及び情報処理装置によれば、蓄積された映像コンテンツの編集を容易に行うことができる。
【発明を実施するための最良の形態】
【００１０】
以下、図面を参照しつつ本発明に係る録画装置及び情報処理装置の好適な実施形態について詳細に説明する。
【００１１】
図１には、本発明に係る録画装置の一実施形態であるＨＤＤレコーダ１と、本発明に係る情報処理装置の一実施形態であるパーソナルコンピュータ１１と、が示されている。ここでは、このＨＤＤレコーダ１とパーソナルコンピュータ１１とが互いに接続されて、家庭内ネットワークＮが構築されている。
【００１２】
ＨＤＤレコーダ１では、放送された番組（映像コンテンツ）がＨＤＤ２５（図２参照）に録画され、録画コンテンツデータベース（映像コンテンツ保存部）３が形成される。ＨＤＤレコーダ１は、コンピュータ１１とのデータの送受信等に関する処理を行うコンテンツ管理部５を備えている。また、このＨＤＤレコーダ１では、録画される番組の諸情報を含むメタ情報が、それぞれ番組に関連付けられて作成される。例えば、このメタ情報には、各録画番組の番組名や出演者や番組の内容説明を示す文字情報が含まれており、このようなメタ情報は、放送波に含まれる情報、インターネット上のサーバに存在する情報、又は、録画番組自体を解析した情報を基にして録画終了時に作成される。このＨＤＤレコーダ１では、録画番組を複数のシーンに分割し、シーン毎にメタ情報を作成することもできる。ここでは、録画番組をチャプタ単位で分割し、チャプタ毎のメタ情報を作成するものとして説明する。作成されたメタ情報は、ＨＤＤレコーダ１からコンピュータ１１に送信される。
【００１３】
コンピュータ１１は、ＨＤＤレコーダ１からのメタ情報を蓄積しメタ情報データベース１５ａとして管理するためのメタ情報管理サーバ部（データベースサーバ）１５と、録画コンテンツデータベース３に保存された録画番組の編集作業を支援する編集支援処理部（情報処理部）１３と、を備えている。ここでは、図に示すように、８件のメタ情報がメタ情報データベース１５ａに登録されている。
【００１４】
ここで、図２を参照し、ＨＤＤレコーダ１の具体的なハードウエア構成を説明する。ＨＤＤレコーダ１のＴＶチューナ２１には、アンテナ（図示せず）が受け取った放送波の信号が入力されている。ＴＶチューナ２１は入力される信号について復調等を行ってアナログ映像信号を出力する。このアナログ映像信号は、ＡＤＣ(Ａｎａｌｏｇ  Ｔｏ  Ｄｉｇｉｔａｌ  Ｃｏｎｖｅｒｔｅｒ)２２によって量子化される。同様にアナログ音声信号についてもＡＤＣ２２によって量子化される。
【００１５】
ＡＤＣ２２から出力されたデジタル映像信号とデジタル音声信号は、エンコーダ２３に入力される。エンコーダ２３は、入力されたデジタル映像信号をＭＰＥＧ−２規格に基づいて圧縮し、圧縮されたデジタル映像信号に変換して出力する。デジタル音声信号についても、例えばＡＣ（Ａｕｄｉｏ  Ｃｏｍｐｒｅｓｓｉｏｎ）−３規格に基づいて圧縮し、圧縮したデジタル音声信号に変換して出力する。
【００１６】
エンコーダ２３では、圧縮したデジタル映像信号とデジタル音声信号とを記録に適したフォーマットとなるよう信号処理を行ってデータプロセッサ２４に出力する。エンコーダ２３でエンコードされた情報やコントローラ３２で作成された管理情報は、データプロセッサ２４を介して、ＨＤＤ２５や、ＤＶＤドライブ２６に挿入されているＤＶＤ−ＲＡＭ等の光ディスクＤに記録される。
【００１７】
ＨＤＤ２５や、ＤＶＤドライブ２６に挿入された光ディスクＤに記録された信号（映像データや音声データ）は、データプロセッサ２４を介してデコーダ２７に出力される。デコーダ２７では入力された信号から映像信号と音声信号とを分離して、それぞれをデコードする機能を有している。デコーダ２７から出力された映像信号はビデオミキサ２８に入力される。ビデオミキサ２８では、フレームメモリ２９をバッファとして使用しながら、入力された映像信号とテキストデータや画像データとの合成が行われる。また、ビデオミキサ２８の出力は、ＤＡＣ３０（Ｄｉｇｉｔａｌ  Ｔｏ  Ａｎａｌｏｇ  Ｃｏｎｖｅｒｔｅｒ）により、アナログ信号に変換された後に、外部に出力される。デコーダ２７から出力された音声信号についても、同様にＤＡＣ３１でアナログ信号に変換された後に外部に出力される。
【００１８】
コントローラ３２は、ＭＰＵ（Ｍｉｃｒｏ  Ｐｒｏｃｅｓｓｉｎｇ  Ｕｎｉｔ）と、ＲＯＭおよびＲＡＭを有している。ＲＯＭには、制御プログラムやＭＰＵが実行するプログラムが書き込まれている。ＲＡＭは、ＭＰＵによるプログラムの実行に必要なワークエリアを提供し得るようになっている。コントローラ３２は、ＲＯＭに記憶されているプログラムに従い上述の各モジュールを制御する。また、コントローラ３２が、ＲＯＭに記憶されているプログラムに従ってネットワークインターフェース３３の動作を制御することにより、コンピュータ１１との通信が行われる。
【００１９】
前述のコンテンツ管理部５は、このようなコントローラ３２のＲＯＭに書き込まれている所定のプログラムを、ＭＰＵが実行することにより、ソフトウエア的に実現される機能的な構成要素である。
【００２０】
次に、図３を参照し、コンピュータ１１の具体的なハードウエア構成を説明する。コンピュータ１１は、ＣＰＵ４１、主記憶装置であるＲＡＭ４２及びＲＯＭ４３、ハードディスク等の補助記憶装置４５、入力デバイスであるキーボード及びマウス等の入力装置４６、ディスプレイ等の出力装置４７、ネットワークカード等のデータ送受信デバイスである通信モジュール４８などを備えている。
【００２１】
前述の編集支援処理部１３及びメタ情報管理サーバ部１５といった機能的な構成要素は、このコンピュータ１１のＣＰＵ４１、ＲＡＭ４２等のハードウエア上にそれぞれ、編集支援プログラム、メタ情報入出力プログラムといったコンピュータソフトウェアを読み込ませることにより、ＣＰＵ４１の制御のもとで通信モジュール４８、入力装置４６、出力装置４７を動作させるとともに、ＲＡＭ４２や補助記憶装置４５におけるデータの読み出し及び書き込みを行うことで実現される。例えば、メタ情報管理サーバ部１５のメタ情報データベース１５ａは、補助記憶装置４５に蓄積される電子情報として実現される。
【００２２】
続いて、ＨＤＤレコーダ１とコンピュータ１１とが協働して行う処理について説明する。
【００２３】
（放送番組の録画処理）
図４に示すように、ＨＤＤレコーダ１が、放送された番組の録画を開始すると（Ｓ４０２）、放送に係る映像データ及び音声データがエンコードされてＨＤＤ２５に記録され、録画コンテンツデータベース３に追記されていく。そして録画が終了（Ｓ４０４）した後、ＨＤＤレコーダ１のコンテンツ管理部５は、放送波から得たＥＰＧ情報等に基づいて、この録画番組のメタ情報、或いは録画番組のチャプタ毎のメタ情報を作成し、コンピュータ１１のメタ情報管理サーバ部１５に送信する（Ｓ４０６）。なお、以下では、「録画番組、及び録画番組のチャプタ」を総称して「録画コンテンツ」という。
【００２４】
そして、図５に示すように、メタ情報管理サーバ部１５は、コンテンツ管理部５からのメタ情報を受信し（Ｓ５０２）、このメタ情報をメタ情報データベース１５ａに登録する（Ｓ５０４）。そして、メタ情報管理サーバ部１５は、メタ情報の登録の完了通知をコンテンツ管理部５に送信する（Ｓ５０６）。また、同様に、録画コンテンツデータベース３内の録画コンテンツの削除通知をコンテンツ管理部５から受信した場合には、メタ情報管理サーバ部１５は、該当するメタ情報をメタ情報データベース１５ａから削除し（Ｓ５０４）、メタ情報の削除が完了通知をコンテンツ管理部５に送信する（Ｓ５０６）。以上のような処理により、録画コンテンツデータベース３とメタ情報データベース１５ａとの情報が常に同期した状態となる。
【００２５】
（録画番組の編集支援処理）
ユーザは、コンピュータ１１を操作することにより、ＨＤＤレコーダ１の録画コンテンツデータベース３に蓄積された録画コンテンツを編集することができる。コンピュータ１１の編集支援処理部１３は、このような録画コンテンツの編集作業においてユーザの支援を行うものである。図６に示すように、編集支援処理部１３は、ユーザからのキーワード入力を受け付け、入力されたキーワードを検索条件としてメタ情報管理サーバ部１５に送信する（Ｓ６０２）。ここでは、キーワードとして「サッカー」が入力されたものとする。キーワードを受信したメタ情報管理サーバ部１５では、受信したキーワード「サッカー」の文字列が含まれるメタ情報を持つ録画コンテンツが、メタ情報データベース１５ａから検索され、検索結果情報が編集支援処理部１３に返信される。
【００２６】
編集支援処理部１３は、この検索結果情報を受信し（Ｓ６０４）、検索された録画コンテンツが存在する場合には（Ｓ６０６）、検索された録画コンテンツをコンピュータ１１の画面に列挙して表示する。ここでは、図７に示すように、メタ情報データベース１５ａの「詳細情報」に「サッカー」の文字列が含まれている３件が列挙される。このうちの１件目は、「本日のニュース」というニュース番組の中の第４チャプタのみが挙げられたものである。このように、メタ情報管理サーバ部１５では、番組全体のみならず、番組中のチャプタもキーワード検索対象となるので、一番組の中から目的のシーンを探し出す手間を省くことができる。編集支援処理部１３は、この画面からユーザの入力を受け付け、列挙された録画コンテンツのうちの一部又は全部を選択させる（Ｓ６０８）。ここでは、列挙された３件全部が選択されたものとして説明する。一方、Ｓ６０６において、検索された録画コンテンツが存在しない場合には、編集支援処理部１３は処理を終了する。なお、検索結果が表示された画面（図７）において、表中のメタ情報を編集可能とし、編集されたメタ情報をメタ情報サーバ部１５に上書きさせるようにしてもよい。
【００２７】
次に、編集支援処理部１３は、選択された録画コンテンツのサムネイルを要求するためのサムネイル要求を作成し（Ｓ６１０）、メタ情報管理サーバ部１５に送出する。例えば、図８（ａ），（ｂ）に示すように、番組全体が検索された「アジアカップ予選」については、２時間の放送時間のうちの３０分、１時間、１時間３０分の時間位置の静止画像が、サムネイルとして要求され、「サッカー特集」については、２時間の放送時間のうちの４０分、１時間１０分、１時間４０分の時間位置の静止画像が、サムネイルとして要求される。
【００２８】
また、図８（ｃ）に示すように、番組「本日のニュース」の２０〜２５分の時間位置にある第４チャプタとして検索された「スポーツ  サッカー天皇杯」は、例えば、前後に１分間ずつを加え、「本日のニュース」中の時間位置１９〜２６分の録画コンテンツとして、サムネイルが選択される。そしてこの場合、例えば、「本日のニュース」の１９分、２２分、２６分の時間位置の静止画像が、「スポーツ  サッカー天皇杯」のサムネイルとして要求される。このように、番組の一部であるチャプタが検索された場合には、チャプタ前後に１分間程度のマージンを設定することで、目的とするシーン全体を確実に含んだコンテンツを取得することができ、ユーザは、目的のシーンの開始位置を容易に発見することができる。なお、ここでは、所定の時間位置の静止画像をサムネイルとしているが、頭出し再生動画をサムネイルとしてもよい。また、予め録画時にシーン検出などでマークした再生開始位置情報を用いてサムネイル取得位置を決定すれば、シーンの変わり目を高精度でサムネイルに採用することができる。
【００２９】
次に、編集支援処理部１３は、コンテンツ管理部５からのサムネイルを受信した場合には（Ｓ６１２）、図９に示すように、当該サムネイルをコンピュータ１１の画面に配列して表示する（Ｓ６１４）。一方、Ｓ６１２において、何らかの原因でコンテンツ管理部５からサムネイルを受信出来なかった場合には、編集支援処理部１３はコンテンツ管理部５から該当する録画コンテンツの一部を取得し、その録画コンテンツの一部からサムネイルを生成し表示する。ここでは、３件の録画コンテンツのそれぞれ３シーンずつ１Ａ〜１Ｃ，２Ａ〜２Ｃ，３Ａ〜３Ｃのサムネイルが、マトリックス状に配列されて表示されている。
【００３０】
以上のような処理Ｓ６０２〜Ｓ６１４により、ユーザがコンピュータ１１からキーワードを入力すると、このキーワードに関連する録画コンテンツが検索され、検索された録画コンテンツ中の複数のシーンのサムネイルが画面表示される。従って、ユーザは、録画コンテンツデータベース３に蓄積された録画コンテンツの中で、キーワードに関連する録画コンテンツの内容を、視覚的に容易に確認することができる。このとき、各サムネイルに対応するコンテンツに対して、手動でメタ情報を追加入力させることを可能とし、入力されたメタ情報をメタ情報管理サーバ部１５に送るようにしてもよい。なお、この場合、次回の検索処理（Ｓ６０２〜Ｓ６０６）では、メタ情報が追加入力されたシーンが検索対象に含まれることとなる。
【００３１】
続いて、ユーザは、図９の画面から、各録画コンテンツの各シーンを選び出すことにより、選んだシーンを組み合わせた新たな録画コンテンツを作成することができる。以下、図９〜図１２を参照しながら、このような編集作業における処理について説明する。
【００３２】
まず、ユーザは、図９の画面に表示されたサムネイルをクリックする等して、新たな録画コンテンツに加えたいシーンを複数選択する（図１０，Ｓ１００２）。ここでは、図９の画面から、シーン１Ｂ，２Ｃ，３Ａが選択されたとすると、図１１に示すように、選択された３つのサムネイルが、最下段に表示される。このような表示により、ユーザは選択したシーンを容易に確認することができる。また、このとき、ユーザは、新たな録画コンテンツのコンテンツ名（ここでは、「サッカー総集編」）や詳細説明等を入力することができる。
【００３３】
この状態で、ユーザが編集完了の操作を行うと、編集支援処理部１３は、シーン１Ｂ，２Ｃ，３Ａから構成される新たな録画コンテンツ「サッカー総集編」のメタ情報（編集結果情報）を作成し（Ｓ１００４）、ＨＤＤレコーダ１のコンテンツ管理部５に送信する（Ｓ１００６）。
【００３４】
ここで、コンテンツ管理部５は、図１２に示すように、上記メタ情報を受信し（図１２，Ｓ１２０２）、当該メタ情報に合わせて録画コンテンツデータベース３内のデータに新たな録画コンテンツ「サッカー総集編」を登録し（Ｓ１２０４）、更に、メタ情報をコンピュータ１１のメタ情報管理サーバ部１５に送信する（Ｓ１２０６）。そして、メタ情報管理サーバ部１５が、受信したメタ情報を、メタ情報データベース１５ａに追記することで、録画コンテンツデータベース３とメタ情報データベース１５ａとの間のデータの同期が図られる。
【００３５】
その後、編集支援処理部１３は、コンテンツ管理部５からの完了通知を受け、上記メタ情報の登録が成功したことを確認し（図１０，Ｓ１００８）、新たな録画コンテンツ「サッカー総集編」のサムネイルをコンテンツ管理部５から取得して画面表示する（Ｓ１０１０）。なお、Ｓ１００８において、登録が失敗した場合にはそのまま処理を終了する。
【００３６】
以上のような処理によって、図１３（ａ）に示すように、メタ情報データベース１５ａには新たな録画コンテンツである「サッカー総集編」が追加される。そして、この状態で、キーワード「サッカー」によるキーワード検索が行われると、図１３（ｂ）に示すように、新たな録画コンテンツ「サッカー総集編」も検索対象となり、検索結果に含まれることになる。
【００３７】
以上のような編集支援処理によれば、ユーザは、コンピュータ１１を操作することによって、ＨＤＤレコーダ１に蓄積された録画コンテンツの中で、興味がある録画コンテンツの内容を容易に確認することができる。更に、ユーザは、コンピュータ１１によって各録画コンテンツに含まれるシーンを確認しながら、リモートで、各シーンを組み合わせた新たな録画コンテンツを容易に作成することができる。
【００３８】
本発明は、上記の実施形態に限定されるものではない。例えば、上記実施形態では、メタ情報管理サーバ部１５は、コンピュータ１１の構成とされているが、図１４（ａ）に示すように、メタ情報管理サーバ部１５の構成を、ＨＤＤレコーダ１に持たせてもよい。この場合、メタ情報管理サーバ部１５は、ＨＤＤレコーダ１のコントローラ３２（図２参照）のＲＯＭに書き込まれている所定のプログラムを、ＭＰＵが実行することにより、ソフトウエア的に実現される。また、図１４（ｂ）に示すように、コンピュータ１１と同等のハードウエア構成を有するサーバ装置１２を家庭内ネットワークＮ上に更に設け、このサーバ装置１２にメタ情報管理サーバ部１５の機能を持たせてもよい。
【図面の簡単な説明】
【００３９】
【図１】本発明に係るＨＤＤレコーダ及びコンピュータの一実施形態を示す機能ブロック図である。
【図２】図１に示すＨＤＤレコーダのハードウエア構成を示すブロック図である。
【図３】図１に示すコンピュータのハードウエア構成を示すブロック図である。
【図４】図１のＨＤＤレコーダによる録画処理を示すフローチャートである。
【図５】図１のメタ情報管理サーバ部によるメタ情報の処理を示すフローチャートである。
【図６】図１の編集支援処理部による処理を示すフローチャートである。
【図７】検索結果の表示画面の一例を示す図である。
【図８】録画コンテンツから作成されるサムネイルの時間位置を示す図である。
【図９】サムネイルが表示される表示画面の一例を示す図である。
【図１０】図１の編集支援処理部による処理を示すフローチャートである。
【図１１】録画コンテンツの編集中においてサムネイルが表示される表示画面の一例を示す図である。
【図１２】図１のコンテンツＤＢ管理部による処理を示すフローチャートである。図である。
【図１３】（ａ）は、メタ情報データベースの一例を示す図であり、（ｂ）は、検索結果の表示画面の一例を示す図である。
【図１４】（ａ），（ｂ）は、それぞれ、ＨＤＤレコーダ及びコンピュータの構成を示す機能ブロック図である。
【符号の説明】
【００４０】
１…ＨＤＤレコーダ（録画装置）、３…録画コンテンツデータベース（映像コンテンツ保存部）、１１…コンピュータ（情報処理装置）、１３…編集支援処理部（情報処理部）、１５…メタ情報管理サーバ部（データベースサーバ）、１５ａ…メタ情報データベース、Ｎ…ネットワーク。
【図１】
2008301102.tif 000003
【図２】
2008301102.tif 000004
【図３】
2008301102.tif 000005
【図４】
2008301102.tif 000006
【図５】
2008301102.tif 000007
【図６】
2008301102.tif 000008
【図７】
2008301102.tif 000009
【図８】
2008301102.tif 000010
【図９】
2008301102.tif 000011
【図１０】
2008301102.tif 000012
【図１１】
2008301102.tif 000013
【図１２】
2008301102.tif 000014
【図１３】
2008301102.tif 000015
【図１４】
2008301102.tif 000016